【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
パケットヘッダを圧縮する方法であって、この方法は：
少なくとも１つの前の値の系列をコンプレッサにおいて維持することを含み、各々の前の値は異なるｋ個の最下位ビットを有すると共にデコンプレッサへ伝送されており；
前の値の該系列中のいずれかの値を基準値として用いて該デコンプレッサにおいて現在の値を解凍することを可能にするビットの数を表すｋの値を決定することを含み；
現在の値を、該コンプレッサから該デコンプレッサへ、現在の値のｋ個の最下位ビットを有する圧縮されている形で送ることを含み、
ｋの値は、現在の値と少なくとも１つの前の値とを比較してその現在の値と少なくとも１つの前の値との最大の差ｒを決定することにより決定され、このｋはｌｏｇ2 （ｒ）＋１より大きい最小の整数であるように選択される整数であることを特徴とする方法。
【請求項２】
該デコンプレッサが値を解凍したことを示す少なくとも１つの受取通知を該コンプレッサから受信し、該コンプレッサは少なくとも１つのより古い前の値を捨てるために少なくとも１つの前の値の該系列を更新することを特徴とする請求項１に記載の方法。
【請求項３】
該値は、基準値ｖ  ｒｅｆとビット数ｋとを少なくとも１つの前の値の該系列と現在の値とにマッピングすることから作られ；
少なくとも１つの前の値の該系列は、該デコンプレッサにより解凍されたと受取通知されている最も古い送信された値を最旧の値として有するように更新されることを特徴とする請求項１に記載の方法。
【請求項４】
該値は、基準値とビット数ｋとの関数であることを特徴とする請求項１に記載の方法。
【請求項５】
該関数は、[ｖ  ｒｅｆ−２k-1， ｖ  ｒｅｆ＋２k-1］であることを特徴とする請求項４に記載の方法。
【請求項６】
該関数は、[ｖ  ｒｅｆ， ｖ  ｒｅｆ＋２k］であることを特徴とする請求項４に記載の方法。
【請求項７】
少なくとも１つの該受取通知は、圧縮されている該値の一部分を符号化するのに使用される情報を含んでいる圧縮されている値であることを特徴とする請求項２に記載の方法。
【請求項８】
少なくとも１つの該受取通知は、前の値の該系列の中の最も古い値を包含することを特徴とする請求項２に記載の方法。
【請求項９】
前の値の該系列は、該コンプレッサと該デコンプレッサとの間での値の系列の伝送中に失われることのある値の見積もられた最大数に基づいてより古い前の値を捨てるように更新されることを特徴とする請求項１に記載の方法。
【請求項１０】
該値はＲＴＰヘッダを含むことを特徴とする請求項１に記載の方法。
【請求項１１】
少なくとも１つの該受取通知は、ＲＴＰヘッダのＴＳ及びＩＰ−ＩＤの受取通知を表すＲＴＰ ＳＮヘッダの受取通知であることを特徴とする請求項２、７、８のいずれかに記載の方法。
【請求項１２】
デコンプレッサであって、
コンプレッサから現在の値のｋ個の最下位ビットに圧縮された現在の値を受信する手段であって、ここで、ｋの値は、前記コンプレッサによって決定され、前記現在の値を解凍することを可能にするビットの数を表している、前記手段と、
異なるｋ個の最下位ビットを各々有する少なくとも１つの前の値の系列の最後の値の基準値を用いて、該基準値に最も近い、前記現在の値のｋ個の最下位ビットと同一のｋ個の最下位ビットを有する値として解凍されるように、前記現在の値を解凍する手段と、
を備えることを特徴とするデコンプレッサ。
【請求項１３】
ｋの値は、現在の値と少なくとも１つの前の値とを比較してその現在の値と少なくとも１つの前の値との最大の差ｒを決定することにより前記コンプレッサにより決定され、このｋはｌｏｇ2 （ｒ）＋１より大きい最小の整数であるように選択される整数であることを特徴とする、請求項１２に記載のデコンプレッサ。
【請求項１４】
該デコンプレッサが値を解凍したことを示す少なくとも１つの受取通知を前記コンプレッサに送る手段を備えており、前記コンプレッサは、より古い前の値を捨てるために前記少なくとも１つの前の値の該系列を更新することを特徴とする、請求項１２に記載のデコンプレッサ。
【請求項１５】
該デコンプレッサが値を解凍したことを示す少なくとも１つの受取通知を前記コンプレッサに送る手段を備えており、前記コンプレッサは、より古い前の値を捨てるために前記少なくとも１つの前の値の該系列を更新することを特徴とする、請求項１３に記載のデコンプレッサ。
【請求項１６】
前記基準値より下から該基準値の上にまで及ぶ値を含むサーチ間隔を使用し、該サーチ間隔内の値から前記同一のｋ個の最下位ビットを有する値を選択する手段を備えることを特徴とする、請求項１２から１５のうちのいずれか１項に記載のデコンプレッサ。
【請求項１７】
前記基準値より下から該基準値の上にまで及ぶ値を含むサーチ間隔を使用し、該サーチ間隔内の値から前記同一のｋ個の最下位ビットを有する値を選択する手段を備えることを特徴とする、請求項１６に記載のデコンプレッサ。
【請求項１８】
前記コンプレッサは、基準値ｖ ｒｅｆとビット数ｋとを少なくとも１つの前の値の該系列と現在の値とにマッピングすることにより前記値を作り、少なくとも１つの前の値の該系列は、該デコンプレッサにより解凍されたと受取通知されている最も古い送信された値を最旧の値として有するように更新されることを特徴とする、請求項１２に記載のデコンプレッサ。
【請求項１９】
前記値は、基準値とビット数ｋとの関数であることを特徴とする、請求項１２に記載のデコンプレッサ。
【請求項２０】
前記関数は、[ｖ ｒｅｆ−２k-1， ｖ ｒｅｆ＋２k-1］であることを特徴とする、請求項１９に記載のデコンプレッサ。
【請求項２１】
前記関数は、[ｖ ｒｅｆ， ｖ ｒｅｆ＋２k］であることを特徴とする、請求項１９に記載のデコンプレッサ。
【請求項２２】
前記少なくとも１つの受取通知は、前記圧縮されていない値であることを特徴とする、請求項１４に記載のデコンプレッサ。
【請求項２３】
前記少なくとも１つの受取通知は、前記圧縮されている値であることを特徴とする、請求項１４に記載のデコンプレッサ。
【請求項２４】
前記少なくとも１つの受取通知は、前記圧縮されている値の一部分を符号化するのに使用される情報を含んでいる前記圧縮されている値であることを特徴とする、請求項２３に記載のデコンプレッサ。
【請求項２５】
前記少なくとも１つの前の値の該系列は、前記コンプレッサと該デコンプレッサとの間での値の系列の伝送中に失われることのある値の見積もられた最大数に基づいて少なくとも１つのより古い前の値を捨てるように更新されることを特徴とする、請求項１２に記載のデコンプレッサ。
【請求項２６】
前記値は、ＲＴＰヘッダを含むことを特徴とする、請求項１２に記載のデコンプレッサ。
【請求項２７】
前記少なくとも１つの受取通知は、ＲＴＰヘッダのＴＳ及びＩＰ−ＩＤの受取通知を表すＲＴＰ ＳＮヘッダの受取通知であることを特徴とする、請求項１４に記載のデコンプレッサ。
【請求項２８】
コンプレッサであって、
異なるｋ個の最下位ビットを各々有する少なくとも１つの前の値の系列を維持する手段と、
少なくとも１つの前の値の該系列中のいずれかの値を基準として使用してデコンプレッサにおいて現在の値を解凍することを可能にするビットの数を表すｋの値を決定する手段と、
現在の値を現在の値のｋ個の最下位ビットに圧縮する手段と、
前記ｋ個の最下位ビットに圧縮されている現在の値を前記デコンプレッサに送信する手段と、
を備えることを特徴とするコンプレッサ。
【請求項２９】
前記現在の値と前記少なくとも１つの前の値との最大の差ｒを決定するために該現在の値を前記少なくとも１つの前の値と比較することによりｋの値を決定する手段を備えており、このｋは、ｌｏｇ2（ｒ）＋１より大きい最小の整数であるように選択される整数であることを特徴とする、請求項２８に記載のコンプレッサ。
【請求項３０】
前記デコンプレッサから、該デコンプレッサが値を解凍したことを示す少なくとも１つの受取通知を受信し、該コンプレッサは、より古い前の値を捨てるために少なくとも１つの前の値の該系列を更新することを特徴とする、請求項２８に記載のコンプレッサ。
【請求項３１】
前記デコンプレッサから、該デコンプレッサが値を解凍したことを示す少なくとも１つの受取通知を受信し、該コンプレッサは、より古い前の値を捨てるために少なくとも１つの前の値の該系列を更新することを特徴とする、請求項２８に記載のコンプレッサ。
【請求項３２】
基準値ｖ ｒｅｆとビット数ｋとを、少なくとも１つの前の値の該系列と現在の値とにマッピングすることから該値を作る手段と、
前記デコンプレッサにより解凍されたと受取通知されている最も古い送信された値を最旧の値として有するように、前記少なくとも１つの前の値の該系列を更新する手段と、
を備えることを特徴とする、請求項２８に記載のコンプレッサ。
【請求項３３】
前記値は、基準値とビット数ｋとの関数であることを特徴とする、請求項２８に記載のコンプレッサ。
【請求項３４】
前記関数は、[ｖ ｒｅｆ−２k-1， ｖ ｒｅｆ＋２k-1］であることを特徴とする、請求項３３に記載のコンプレッサ。
【請求項３５】
前記関数は、[ｖ ｒｅｆ， ｖ ｒｅｆ＋２k］であることを特徴とする、請求項３３に記載のコンプレッサ。
【請求項３６】
前記少なくとも１つの受取通知は、前記圧縮されていない値であることを特徴とする、請求項３０に記載のコンプレッサ。
【請求項３７】
前記少なくとも１つの受取通知は、圧縮されている値の一部分を符号化するのに使用される情報を含む前記圧縮されている値であることを特徴とする、請求項３０に記載のコンプレッサ。
【請求項３８】
前記少なくとも１つの前の値の該系列は、該コンプレッサと前記デコンプレッサとの間での値の系列の伝送中に失われることのある値の見積もられた最大数に基づいて少なくとも１つのより古い前の値を捨てる手段により更新されることを特徴とする、請求項３３に記載のコンプレッサ。
【請求項３９】
前記圧縮されている現在の値は、その現在の値と共に送信される数ｋを符号化することを特徴とする、請求項３３に記載のコンプレッサ。
【請求項４０】
前記値は、ＲＴＰヘッダを含むことを特徴とする、請求項３３に記載のコンプレッサ。
【請求項４１】
前記少なくとも１つの受取通知は、ＲＴＰヘッダのＴＳ及びＩＰ−ＩＤの受取通知を表すＲＴＰ ＳＮヘッダの受取通知であることを特徴とする、請求項３０に記載のコンプレッサ。
【請求項４２】
デコンプレッサが、
コンプレッサから現在の値のｋ個の最下位ビットに圧縮された現在の値を受信し、ここで、ｋの値は、前記コンプレッサによって決定され、前記現在の値を解凍することを可能にするビットの数を表しており、
異なるｋ個の最下位ビットを各々有する少なくとも１つの前の値の系列の最後の値の基準値を用いて、該基準値に最も近い、前記現在の値のｋ個の最下位ビットと同一のｋ個の最下位ビットを有する値として解凍されるように、前記現在の値を解凍すること、
を備えることを特徴とする方法。
【請求項４３】
コンプレッサが、
異なるｋ個の最下位ビットを各々有する少なくとも１つの前の値の系列を維持し、
少なくとも１つの前の値の該系列中のいずれかの値を基準として使用してデコンプレッサにおいて現在の値を解凍することを可能にするビットの数を表すｋの値を決定し、
現在の値を現在の値のｋ個の最下位ビットに圧縮し、
前記ｋ個の最下位ビットに圧縮されている現在の値を前記デコンプレッサに送信すること、を備えることを特徴とする方法。
【請求項４４】
ｋの値は、現在の値と少なくとも１つの前の値とを比較してその現在の値と少なくとも１つの前の値との最大の差ｒを決定することにより前記コンプレッサにより決定され、このｋはｌｏｇ2 （ｒ）＋１より大きい最小の整数であるように選択される整数であることを特徴とする、請求項４２又は４３に記載の方法。
【請求項４５】
該デコンプレッサは、該デコンプレッサが値を解凍したことを示す少なくとも１つの受取通知を該コンプレッサに送り、該コンプレッサは少なくとも１つのより古い前の値を捨てるために少なくとも１つの前の値の該系列を更新することを特徴とする請求項４２乃至４４のいずれかに記載の方法。
【請求項４６】
該基準値より下から該基準値の上にまで及ぶ値を含むサーチ間隔を該デコンプレッサにおいて使用し；
該サーチ間隔内の値から該同一のｋ個の最下位ビットを有する値を選択することを更に含むことを特徴とする請求項４２乃至４５のいずれかに記載の方法。
【請求項４７】
該値は、基準値ｖ  ｒｅｆとビット数ｋとを少なくとも１つの前の値の該系列と現在の値とにマッピングすることから作られ；
少なくとも１つの前の値の該系列は、該デコンプレッサにより解凍されたと受取通知されている最も古い送信された値を最旧の値として有するように更新されることを特徴とする請求項４２乃至４４のいずれかに記載の方法。
【請求項４８】
該値は、基準値とビット数ｋとの関数であることを特徴とする請求項４２乃至４４のいずれかに記載の方法。
【請求項４９】
該関数は、[ｖ  ｒｅｆ−２k-1， ｖ  ｒｅｆ＋２k-1］であることを特徴とする請求項４８に記載の方法。
【請求項５０】
該関数は、[ｖ  ｒｅｆ， ｖ  ｒｅｆ＋２k］であることを特徴とする請求項４８に記載の方法。
【請求項５１】
少なくとも１つの該受取通知は、圧縮されている該値の一部分を符号化するのに使用される情報を含んでいる圧縮されている値であることを特徴とする請求項４５に記載の方法。
【請求項５２】
少なくとも１つの該受取通知は、前の値の該系列の中の最も古い値を包含することを特徴とする請求項４５に記載の方法。
【請求項５３】
前の値の該系列は、該コンプレッサと該デコンプレッサとの間での値の系列の伝送中に失われることのある値の見積もられた最大数に基づいてより古い前の値を捨てるように更新されることを特徴とする請求項４２乃至４４のいずれかに記載の方法。